(57)【要約】【課題】  日射遮蔽装置の日射遮蔽材を開閉するために、ヘッドボックスから引き出す複数の昇降コード端末を結合するコードターミナルであって、コードターミナルがヘッドボックスの昇降コード出口にストッパとして当接するときの外観が良好なものを提供する。【解決手段】  コードターミナルは、中央に昇降コード孔を有する天板部と、その天板部の両側に立設する左右仕切板とを備える筒型又は箱形の本体からなり、その仕切板は高さが上板面部の前後幅の半分よりも大きく、上部が円弧状に形成されることを特徴とする。【選択図】      図３
2005256512.tif 000002
【特許請求の範囲】
【請求項１】
日射遮蔽装置のヘッドボックスから引き出す複数の昇降コード端末を結合するコードターミナルであって、前記コードターミナルは、昇降コード孔を有する天板部と、前記天板部の両側に立設する左右仕切板とを備える筒型又は箱形の本体からなり、前記仕切板は高さが前記天板部の前後幅の半分よりも大きく、上部が円弧状に形成されることを特徴とする日射遮蔽装置のコードターミナル。
【請求項２】
本体は、正面が開口する箱形であり、前記本体にはカバーが弾性的に着脱可能に取り付けられ、前記カバーは、前記本体の正面と左右側面を被覆することを特徴とする請求項１に記載の日射遮蔽装置のコードターミナル。
【請求項３】
天板部には１個の昇降コード孔が設けられ、前記昇降コード孔に複数の昇降コードが束ねて挿通されることを特徴とする請求項１又は２に記載の日射遮蔽装置のコードターミナル。
【請求項４】
天板部には複数の昇降コード孔が左右に列設され、前記昇降コード孔の間には中間仕切板が立設することを特徴とする請求項１又は２に記載の日射遮蔽装置のコードターミナル。
【請求項５】
少なくとも１つの中間仕切板は高さが天板部の前後幅の半分よりも大きく、上部が円弧状に形成されることを特徴とする請求項４に記載の日射遮蔽装置のコードターミナル。
【請求項６】
本体は底板部を備え、前記底板部には操作コードを結合するための操作コード孔が穿設されることを特徴とする請求項１ないし５のいずれか１つに記載の日射遮蔽装置のコードターミナル。
【発明の詳細な説明】
【技術分野】
【０００１】
本発明は、日射遮蔽装置のヘッドボックスから引き出す複数の昇降コード端末を結合するコードターミナルに関する。
【背景技術】
【０００２】
日射遮蔽材をヘッドボックスとボトムレールの間に展張するベネシャンブラインド、ローマンシェード等の日射遮蔽装置において、日射遮蔽材を開閉するため、ボトムレールを昇降させる複数の昇降コードをヘッドボックスからコードストッパを介して引き出し、それらの端末をコードターミナルに結束する。コードターミナルは日射遮蔽装置の開閉操作用グリップとして使用される。このコードターミナルに操作コードの一端を結合し、他端をボトムレールに止着することは、特開２００２−３３９６７０号公報に記載されているように、周知である。
【０００３】
ボトムレールの下限位置において、コードターミナルがヘッドボックスの昇降コード出口に当接するように設定すると、コードターミナルは、ボトムレールの下限位置を規定するストッパとして使用することができる。この場合、従来のコードターミナルは、昇降コードがコードターミナルの上部天頂から突出するため、図１に示すように、ボトムレール６の下限位置において、コードターミナル４ａがヘッドボックス２の昇降コード出口３に当接するとき、コードターミナル４ａの上端部がヘッドボックス２の昇降コード出口３に突き刺さる状態となり、日射遮蔽装置の外観が見苦しいという問題があった。
【特許文献１】特開２００２−３３９６７０号公報
【発明の開示】
【発明が解決しようとする課題】
【０００４】
本発明は、この問題を解決するためになされたものであり、その課題は、ボトムレールの下限位置を規定するストッパとして使用されるコードターミナルであって、コードターミナルがヘッドボックスの昇降コード出口にストッパとして当接するときに、日射遮蔽装置の外観が見苦しくならないようにすることである。
【課題を解決するための手段】
【０００５】
前記課題を達成するため、本発明が採用する手段は、日射遮蔽装置のヘッドボックスから引き出す複数の昇降コード端末を結合するコードターミナルを、昇降コード孔を有する天板部と、その天板部の両側に立設する左右仕切板とを備える筒型又は箱形の本体から形成し、左右仕切板の高さを天板部の前後幅の半分よりも大きく、その上部を円弧状にすることを特徴とする。
【発明の効果】
【０００６】
上記構成により、本発明のコードターミナルは、ボトムレールの下限位置を規定するストッパとして使用される場合、ボトムレールの下限位置において、コードターミナルは、始め、左右の仕切板の頂上付近がヘッドボックスの昇降コード出口に当接する。ついで、コードターミナルは、仕切板を中心に転動し、仕切板の背面側が昇降コード出口に当接する安定状態となり、そこで、停止する。
コードターミナルの背面側がヘッドボックスの昇降コード出口に当接する状態の外観は、コードターミナルの上端部がヘッドボックスの昇降コード出口に突き刺さる状態のものと比べると、著しく良好である。
【発明を実施するための最良の形態】
【０００７】
本発明コードターミナルの本体は、円錐状、角錐状、円柱状、角柱状の筒形又は箱形とする。特に、正面が開口する箱形の本体と、その本体の正面と左右を被覆するカバーとから構成することが好ましい。天板部に複数の昇降コード孔を左右に列設すると、複数の昇降コードを分離して結着することができるが、昇降コード孔を中央に１個だけ設けて複数の昇降コードを束ねても結着しても良い。複数の昇降コード孔を左右に列設する場合は、昇降コード孔の間に中間仕切板を立設することが好ましい。このとき、少なくとも１つの中間仕切板は高さが天板部の前後幅の半分よりも大きく、上部が円弧状であることが好ましい。コードターミナルに操作コードを結合するため、本体の底板部に操作コード孔を挿痛する操作コード孔をが穿設することが好ましい。
【実施例】
【０００８】
本発明を図面に示す実施例に基づいて説明する。図２は、本発明実施例のコードターミナルを備える日射遮蔽装置の側面図、図３、図４、図５は、図２に示すコードターミナルの側断面図、上面図、正面図、図６は、コードターミナルの本体の正面図、図７は、コードターミナルのカバーの平面図である。
【０００９】
図２に示すように、日射遮蔽装置の昇降コード１の一端部はヘッドボックス２の昇降コード出口３から出てコードターミナル４に結着され、他端部は遮蔽材５を貫通してボトムレール６に止着される。操作コード７の一端部はコードターミナル４に結着され、他端部はボトムレール６に止着される。
【００１０】
コードターミナル４は、ボトムレール６の下限位置を規定するストッパとして使用される。ボトムレール６が下限位置まで降下するとき、コードターミナル４は、始め、左右両端の半円状仕切板１５の頂上付近がヘッドボックス２の昇降コード出口３に当接する。ついで、コードターミナル４は、操作コードを含む自重で半円状仕切板１５を中心に転動し、半円状仕切板１５の背面側が昇降コード出口３に当接する安定な状態となり、停止する。図２に示すコードターミナル４の背面側をヘッドボックス２の昇降コード出口３に当接させて停止する状態は、図１に示す従来のコードターミナル４ａが上端部をヘッドボックス２の昇降コード出口３に突き刺して停止する状態と比べると、外観は格段に優れる。
【００１１】
図３、図４、図５に示すように、コードターミナル４は本体８とカバー９からなる。本体８は、正面が開口する箱体である。本体８には、複数本の昇降コード１を挿通し、結び目を介して連結するため、天板部１０に複数個の昇降コード孔１１が左右一列に穿設される。また、少なくとも一本の操作コード７を挿通し、結び目を介して連結するため、本体８の底板部１２には少なくとも１個の操作コード孔１３が中央に穿設される。
【００１２】
本体８の天板部１０において、左右端の昇降コード孔１１の外側に半円状仕切１５が立設する。左右端の半円状の仕切板１５の半径は、天板部１０の前後幅の半分であるが、高さは天板部１０の前後幅よりも大きい。隣接する左右昇降コード孔１１の間には半円状の中間仕切板１４が立設する。図に示す中間仕切板１４は、半径と高さが、天板部１０の前後幅の半分であり、左右の仕切板１５よりも低いが、中間仕切板１４の半径と高さは、左右の仕切板１５と同じにすることも可能である。
【００１３】
図６に示すように、本体８は、正面が開口する箱体であり、天板部１０と底板部１２と左右の側板部１６と背板部１７とを備える。図７に示すように、カバー９は、上から見ると、本体の正面と左右側面を囲むコ字形であり、左右の爪１８を本体の背面にかけ、本体に弾性的に着脱可能に取り付けられる。
【図面の簡単な説明】
【００１４】
【図１】従来例のコードターミナルを備える日射遮蔽装置の要部を断面で示す側面図、
【図２】本発明実施例のコードターミナルを備える日射遮蔽装置の側面図、
【図３】図２に示すコードターミナルの側断面図、
【図４】図２に示すコードターミナルの上面図、
【図５】図２に示すコードターミナルの正面図、
【図６】図２に示すコードターミナルの本体の正面図、
【図７】図２に示すコードターミナルのカバーの平面図。
【符号の説明】
【００１５】
２：ヘッドボックス
３：昇降コード出口
４：コードターミナル
５：遮蔽材
６：ボトムレール
７：操作コード
８：本体
９：カバー
１０：天板部
１１：昇降コード孔
１２：下面板部
１３：操作コード孔
１４：中間仕切板
１５：仕切板（左右端）
１６：側面板部
１７：背面板部
１８：爪
【図１】
2005256512.tif 000003
【図２】
2005256512.tif 000004
【図３】
2005256512.tif 000005
【図４】
2005256512.tif 000006
【図５】
2005256512.tif 000007
【図６】
2005256512.tif 000008
【図７】
2005256512.tif 000009